(57)【要約】【課題】広告主がより高い宣伝効果を期待できる印刷物に広告を掲載することができる印刷システム、サーバ、および印刷制御プログラムを提供する。【解決手段】印刷システム１では、配布者ＰＣ３で入力されたコンテンツデータが、サーバ２へ送信される。広告主ＰＣ５でコンテンツデータの検索条件が入力されると、サーバ２で検索条件を満たすコンテンツデータが検索されて、その検索結果が広告主ＰＣ５で表示される。広告主ＰＣ５で検索結果からコンテンツデータが選択されると、広告主ＰＣ５で入力された広告データが、サーバ２へ送信される。サーバ２では、印刷実行指示に応じて配布物データが生成され、プリンタ４に送信される。プリンタ４では、サーバ２から受信した配布物データに基づいて印刷が実行される。【選択図】図１
2012014381.tif 000002
【特許請求の範囲】
【請求項１】
サーバと、コンテンツ登録装置と、広告登録装置と、印刷装置とがネットワークを介して接続された印刷システムであって、
前記コンテンツ登録装置は、
コンテンツデータの入力を受け付けるコンテンツ受付手段と、
前記コンテンツ受付手段で受け付けられたコンテンツデータを、前記サーバに送信するコンテンツ送信手段とを備え、
前記広告登録装置は、
前記コンテンツデータの検索条件の入力を受け付ける条件受付手段と、
前記条件受付手段によって受け付けられた検索条件を、前記サーバに送信する検索条件送信手段と、
前記コンテンツデータのリストを含む検索結果が前記サーバから受信された場合、前記検索結果に含まれる前記リストを表示する検索結果表示手段と、
広告データの入力を受け付ける広告受付手段と、
前記検索結果表示手段によって表示された前記リストから前記コンテンツデータが選択された場合、選択された前記コンテンツデータを示す識別情報と、前記広告受付手段によって受け付けられた前記広告データとを、前記サーバに送信する掲載要求送信手段とを備え、
前記サーバは、
前記コンテンツ登録装置から受信した前記コンテンツデータを記憶する第一記憶手段を参照して、前記広告登録装置から受信した前記検索条件を満たす前記コンテンツデータを特定するコンテンツ特定手段と、
前記コンテンツ特定手段によって特定された前記コンテンツデータのリストを含む前記検索結果を、前記広告登録装置に送信する検索結果送信手段と、
前記広告登録装置から受信した前記識別情報で特定される前記コンテンツデータと対応付けて、前記広告登録装置から受信した前記広告データを第二記憶手段に記憶させる記憶制御手段と、
印刷実行指示が受信された場合、前記印刷実行指示の対象となる前記コンテンツデータを前記第一記憶手段から取得し、前記コンテンツデータに対応付けられている前記広告データを前記第二記憶手段から取得するデータ取得手段と、
前記データ取得手段によって取得された前記コンテンツデータと前記広告データとが合成された印刷データを生成する印刷データ生成手段と、
前記印刷データ生成手段によって生成された前記印刷データを、前記印刷装置に送信する印刷データ送信手段とを備え、
前記印刷装置は、
紙媒体に画像を印刷する印刷手段と、
前記印刷データが受信された場合、前記印刷データに基づいて前記印刷手段に印刷を実行させる制御手段と
を備えたことを特徴とする印刷システム。
【請求項２】
ネットワークに接続されたサーバであって、
コンテンツ登録装置から受信したコンテンツデータを記憶する第一記憶手段を参照して、広告登録装置から受信した検索条件を満たす前記コンテンツデータを特定するコンテンツ特定手段と、
前記コンテンツ特定手段によって特定された前記コンテンツデータのリストを含む検索結果を、前記広告登録装置に送信する検索結果送信手段と、
前記広告登録装置から受信した識別情報で特定される前記コンテンツデータと対応付けて、前記広告登録装置から受信した広告データを第二記憶手段に記憶させる記憶制御手段と、
印刷実行指示が受信された場合、前記印刷実行指示の対象となる前記コンテンツデータを前記第一記憶手段から取得し、前記コンテンツデータに対応付けられている前記広告データを前記第二記憶手段から取得するデータ取得手段と、
前記データ取得手段によって取得された前記コンテンツデータと前記広告データとが合成された印刷データを生成する印刷データ生成手段と、
前記印刷データ生成手段によって生成された前記印刷データを、前記ネットワークを介して接続された印刷装置に送信する印刷データ送信手段と
を備えたことを特徴とするサーバ。
【請求項３】
前記印刷データ生成手段は、前記印刷データごとに割り振られるユニークなアドレス情報を含めて、前記印刷データを生成し、
前記アドレス情報に基づくアクセス要求を検出した場合に、前記印刷データおよび前記アドレス情報を対応付けて記憶する第三記憶手段を参照して、前記アドレス情報が合成されている前記印刷データを特定するアクセス特定手段と、
前記印刷データおよび印刷物の閲覧回数を対応付けて記憶する第四記憶手段を参照して、前記アクセス特定手段によって特定された前記印刷データに対応する前記閲覧回数を加算する閲覧回数加算手段とを備え、
前記検索結果送信手段は、前記閲覧回数特定手段によって特定された前記閲覧回数を、前記検索結果に含めて送信することを特徴とする請求項２に記載のサーバ。
【請求項４】
前記印刷データと、前記広告データの提供者と、前記提供者に支払われる報酬とを対応付けて記憶する第五記憶手段において、所定のタイミングで前記閲覧回数に応じた値を前記報酬に設定する報酬設定手段を備えたことを特徴とする請求項３に記載のサーバ。
【請求項５】
前記報酬設定手段は、前記広告掲載要求に配布数が含まれ、且つ、前記閲覧回数が前記配布数以上である場合には、第一の所定値を前記報酬に加算することを特徴とする請求項４に記載のサーバ。
【請求項６】
前記コンテンツ特定手段は、前記コンテンツデータと、前記印刷物の配布対象の年齢、性別、地域、および分野の少なくとも一つを示す属性情報とを対応付けて記憶する第六記憶手段を参照して、前記検索条件に含まれる前記属性情報を満たす前記コンテンツデータを特定することを特徴とする請求項４または５に記載のサーバ。
【請求項７】
前記報酬設定手段は、前記広告掲載要求に特定の前記属性情報が含まれ、且つ、前記アクセス要求に含まれるユーザ情報が前記特定の属性情報を満たす場合は、第二の所定値を前記報酬に加算することを特徴とする請求項６に記載のサーバ。
【請求項８】
前記コンテンツ特定手段は、前記コンテンツデータと、前記印刷物の配布対象に関するキーワードとを対応付けて記憶する第七記憶手段を参照して、前記検索条件に含まれる前記キーワードを満たす前記コンテンツデータを特定することを特徴とする請求項２から７のいずれかに記載のサーバ。
【請求項９】
ネットワークに接続されたコンピュータであるサーバに、
コンテンツ登録装置から受信したコンテンツデータを記憶する第一記憶手段を参照して、広告登録装置から受信した検索条件を満たす前記コンテンツデータを特定するコンテンツ特定ステップと、
前記コンテンツ特定ステップによって特定された前記コンテンツデータのリストを含む検索結果を、前記広告登録装置に送信する検索結果送信ステップと、
前記広告登録装置から受信した識別情報で特定される前記コンテンツデータと対応付けて、前記広告登録装置から受信した広告データを第二記憶手段に記憶させる記憶制御ステップと、
印刷実行指示が受信された場合、前記印刷実行指示の対象となる前記コンテンツデータを前記第一記憶手段から取得し、前記コンテンツデータに対応付けられている前記広告データを前記第二記憶手段から取得するデータ取得ステップと、
前記データ取得ステップによって取得された前記コンテンツデータと前記広告データとが合成された印刷データを生成する印刷データ生成ステップと、
前記印刷データ生成ステップによって生成された前記印刷データを、前記ネットワークを介して接続された印刷装置に送信する印刷データ送信ステップと
を実行させることを特徴とする印刷制御プログラム。
【発明の詳細な説明】
【技術分野】
【０００１】
本発明は、印刷物に広告が掲載される印刷システム、サーバ、および印刷制御プログラムに関する。
【背景技術】
【０００２】
従来、印刷物に広告を掲載することで、ユーザに印刷に要する費用を還元する印刷システムが知られている（例えば、特許文献１参照）。特許文献１に記載の情報処理装置では、ユーザのＰＣが印刷データおよび合成印刷指令をサーバに送信する。合成印刷指令を受信したサーバは、印刷データと広告データとを合成した合成印刷データをユーザのプリンタに送信する。合成印刷データを受信したプリンタは、合成印刷データに基づいて印刷を行い、その印刷枚数をサーバに送信する。サーバは、プリンタから受信した印刷枚数に応じて、ユーザに費用還元ポイントを付与する。
【先行技術文献】
【特許文献】
【０００３】
【特許文献１】特開２００３−１７８２３６号公報
【発明の概要】
【発明が解決しようとする課題】
【０００４】
しかしながら、従来の印刷システムでは、印刷物に掲載される広告の提供者（以下、広告主という。）が、どのような印刷物に広告が掲載されるかを把握できない。そのため、例えばファッション関連の冊子に電化製品の広告が掲載される場合のように、印刷物の内容とは関連が乏しい商品またはサービスの広告が掲載される場合があった。この場合、広告が掲載された印刷物が、広告主の対象とする顧客によって閲覧される可能性が低いため、広告の宣伝効果が小さくなるおそれがあった。
【０００５】
本発明の目的は、上述した課題を解決するためになされたものであり、広告主がより高い宣伝効果を期待できる印刷物に広告を掲載することができる印刷システム、サーバ、および印刷制御プログラムを提供することである。
【課題を解決するための手段】
【０００６】
本発明の第１態様に係る印刷システムは、サーバと、コンテンツ登録装置と、広告登録装置と、印刷装置とがネットワークを介して接続された印刷システムであって、前記コンテンツ登録装置は、コンテンツデータの入力を受け付けるコンテンツ受付手段と、前記コンテンツ受付手段で受け付けられたコンテンツデータを、前記サーバに送信するコンテンツ送信手段とを備え、前記広告登録装置は、前記コンテンツデータの検索条件の入力を受け付ける条件受付手段と、前記条件受付手段によって受け付けられた検索条件を、前記サーバに送信する検索条件送信手段と、前記コンテンツデータのリストを含む検索結果が前記サーバから受信された場合、前記検索結果に含まれる前記リストを表示する検索結果表示手段と、広告データの入力を受け付ける広告受付手段と、前記検索結果表示手段によって表示された前記リストから前記コンテンツデータが選択された場合、選択された前記コンテンツデータを示す識別情報と、前記広告受付手段によって受け付けられた前記広告データとを、前記サーバに送信する掲載要求送信手段とを備え、前記サーバは、前記コンテンツ登録装置から受信した前記コンテンツデータを記憶する第一記憶手段を参照して、前記広告登録装置から受信した前記検索条件を満たす前記コンテンツデータを特定するコンテンツ特定手段と、前記コンテンツ特定手段によって特定された前記コンテンツデータのリストを含む前記検索結果を、前記広告登録装置に送信する検索結果送信手段と、前記広告登録装置から受信した前記識別情報で特定される前記コンテンツデータと対応付けて、前記広告登録装置から受信した前記広告データを第二記憶手段に記憶させる記憶制御手段と、印刷実行指示が受信された場合、前記印刷実行指示の対象となる前記コンテンツデータを前記第一記憶手段から取得し、前記コンテンツデータに対応付けられている前記広告データを前記第二記憶手段から取得するデータ取得手段と、前記データ取得手段によって取得された前記コンテンツデータと前記広告データとが合成された印刷データを生成する印刷データ生成手段と、前記印刷データ生成手段によって生成された前記印刷データを、前記印刷装置に送信する印刷データ送信手段とを備え、前記印刷装置は、紙媒体に画像を印刷する印刷手段と、前記印刷データが受信された場合、前記印刷データに基づいて前記印刷手段に印刷を実行させる制御手段とを備えている。
【０００７】
第１態様によれば、コンテンツ登録装置で入力されたコンテンツデータが、サーバへ送信される。広告登録装置でコンテンツデータの検索条件が入力されると、サーバで検索条件を満たすコンテンツデータが検索されて、その検索結果が広告登録装置で表示される。広告登録装置で検索結果からコンテンツデータが選択されると、広告登録装置で入力された広告データが、サーバへ送信される。サーバでは、広告登録装置で選択されたコンテンツデータと、広告登録装置から受信した広告データとが対応付けて記憶される。サーバでは、印刷実行指示に応じて印刷データが生成され、印刷装置に送信される。印刷装置では、サーバから受信した印刷データに基づいて印刷が実行される。これによれば、広告主はコンテンツデータを自由に検索して、広告を掲載するコンテンツデータを決定することができる。したがって、より高い宣伝効果を期待できる印刷物に広告を掲載することができる。
【０００８】
本発明の第２態様に係るサーバは、ネットワークに接続されたサーバであって、コンテンツ登録装置から受信したコンテンツデータを記憶する第一記憶手段を参照して、広告登録装置から受信した検索条件を満たす前記コンテンツデータを特定するコンテンツ特定手段と、前記コンテンツ特定手段によって特定された前記コンテンツデータのリストを含む検索結果を、前記広告登録装置に送信する検索結果送信手段と、前記広告登録装置から受信した識別情報で特定される前記コンテンツデータと対応付けて、前記広告登録装置から受信した広告データを第二記憶手段に記憶させる記憶制御手段と、印刷実行指示が受信された場合、前記印刷実行指示の対象となる前記コンテンツデータを前記第一記憶手段から取得し、前記コンテンツデータに対応付けられている前記広告データを前記第二記憶手段から取得するデータ取得手段と、前記データ取得手段によって取得された前記コンテンツデータと前記広告データとが合成された印刷データを生成する印刷データ生成手段と、前記印刷データ生成手段によって生成された前記印刷データを、前記ネットワークを介して接続された印刷装置に送信する印刷データ送信手段とを備えている。
【０００９】
第２態様によれば、コンテンツ登録装置で入力されたコンテンツデータが、サーバへ送信される。広告登録装置でコンテンツデータの検索条件が入力されると、サーバで検索条件を満たすコンテンツデータが検索されて、その検索結果が広告登録装置で表示される。広告登録装置で検索結果からコンテンツデータが選択されると、広告登録装置で入力された広告データが、サーバへ送信される。サーバでは、広告登録装置で選択されたコンテンツデータと、広告登録装置から受信した広告データとが対応付けて記憶される。サーバでは、印刷実行指示に応じて印刷データが生成され、印刷装置に送信される。印刷装置では、サーバから受信した印刷データに基づいて印刷が実行される。これによれば、広告主はコンテンツデータを自由に検索して、広告を掲載するコンテンツデータを決定することができる。したがって、より高い宣伝効果を期待できる印刷物に広告を掲載することができる。
【００１０】
第２態様において、前記印刷データ生成手段は、前記印刷データごとに割り振られるユニークなアドレス情報を含めて、前記印刷データを生成し、前記アドレス情報に基づくアクセス要求を検出した場合に、前記印刷データおよび前記アドレス情報を対応付けて記憶する第三記憶手段を参照して、前記アドレス情報が合成されている前記印刷データを特定するアクセス特定手段と、前記印刷データおよび印刷物の閲覧回数を対応付けて記憶する第四記憶手段を参照して、前記アクセス特定手段によって特定された前記印刷データに対応する前記閲覧回数を加算する閲覧回数加算手段とを備え、前記検索結果送信手段は、前記閲覧回数特定手段によって特定された前記閲覧回数を、前記検索結果に含めて送信してもよい。これにより、広告主は印刷物の閲覧回数に応じて、広告を掲載するコンテンツデータを決定することができる。
【００１１】
第２態様において、前記印刷データと、前記広告データの提供者と、前記提供者に支払われる報酬とを対応付けて記憶する第五記憶手段において、所定のタイミングで前記閲覧回数に応じた値を前記報酬に設定する報酬設定手段を備えてもよい。これにより、配布者は印刷物の閲覧回数に応じて、広告主から対価の支払いを受けることができる。
【００１２】
第２態様において、前記報酬設定手段は、前記広告掲載要求に配布数が含まれ、且つ、前記閲覧回数が前記配布数以上である場合には、第一の所定値を前記報酬に加算してもよい。これにより、配布者は印刷物の閲覧回数に応じて、広告主から加算額の支払いを受けることができる。
【００１３】
第２態様において、前記コンテンツ特定手段は、前記コンテンツデータと、前記印刷物の配布対象の年齢、性別、地域、および分野の少なくとも一つを示す属性情報とを対応付けて記憶する第六記憶手段を参照して、前記検索条件に含まれる前記属性情報を満たす前記コンテンツデータを特定してもよい。これにより、広告主はコンテンツデータの属性情報に応じて、広告を掲載するコンテンツデータを決定することができる。
【００１４】
第２態様において、前記報酬設定手段は、前記広告掲載要求に特定の前記属性情報が含まれ、且つ、前記アクセス要求に含まれるユーザ情報が前記特定の属性情報を満たす場合は、第二の所定値を前記報酬に加算してもよい。これにより、配布者はコンテンツデータの属性情報に応じて、広告主から加算額の支払いを受けることができる。
【００１５】
第２態様において、前記コンテンツ特定手段は、前記コンテンツデータと、前記印刷物の配布対象に関するキーワードとを対応付けて記憶する第七記憶手段を参照して、前記検索条件に含まれる前記キーワードを満たす前記コンテンツデータを特定してもよい。これにより、広告主はキーワードによって、広告を掲載するコンテンツデータを決定することができる。
【００１６】
本発明の第３態様に係る印刷制御プログラムは、ネットワークに接続されたコンピュータであるサーバに、コンテンツ登録装置から受信したコンテンツデータを記憶する第一記憶手段を参照して、広告登録装置から受信した検索条件を満たす前記コンテンツデータを特定するコンテンツ特定ステップと、前記コンテンツ特定ステップによって特定された前記コンテンツデータのリストを含む検索結果を、前記広告登録装置に送信する検索結果送信ステップと、前記広告登録装置から受信した識別情報で特定される前記コンテンツデータと対応付けて、前記広告登録装置から受信した広告データを第二記憶手段に記憶させる記憶制御ステップと、印刷実行指示が受信された場合、前記印刷実行指示の対象となる前記コンテンツデータを前記第一記憶手段から取得し、前記コンテンツデータに対応付けられている前記広告データを前記第二記憶手段から取得するデータ取得ステップと、前記データ取得ステップによって取得された前記コンテンツデータと前記広告データとが合成された印刷データを生成する印刷データ生成ステップと、前記印刷データ生成ステップによって生成された前記印刷データを、前記ネットワークを介して接続された印刷装置に送信する印刷データ送信ステップとを実行させることを特徴とする。
【００１７】
第３態様によれば、コンテンツ登録装置で入力されたコンテンツデータが、サーバへ送信される。広告登録装置でコンテンツデータの検索条件が入力されると、サーバで検索条件を満たすコンテンツデータが検索されて、その検索結果が広告登録装置で表示される。広告登録装置で検索結果からコンテンツデータが選択されると、広告登録装置で入力された広告データが、サーバへ送信される。サーバでは、広告登録装置で選択されたコンテンツデータと、広告登録装置から受信した広告データとが対応付けて記憶される。サーバでは、印刷実行指示に応じて印刷データが生成され、印刷装置に送信される。印刷装置では、サーバから受信した印刷データに基づいて印刷が実行される。これによれば、広告主はコンテンツデータを自由に検索して、広告を掲載するコンテンツデータを決定することができる。したがって、より高い宣伝効果を期待できる印刷物に広告を掲載することができる。
【図面の簡単な説明】
【００１８】
【図１】印刷システム１の全体構成図である。
【図２】サーバ２の電気的構成を示すブロック図である。
【図３】配布者ＰＣ３の電気的構成を示すブロック図である。
【図４】プリンタ４の電気的構成を示すブロック図である。
【図５】広告主ＰＣ５の電気的構成を示すブロック図である。
【図６】配布者テーブル８１のデータ構成図である。
【図７】広告主テーブル８２のデータ構成図である。
【図８】登録者テーブル８３のデータ構成図である。
【図９】配布物テーブル８４のデータ構成図である。
【図１０】履歴テーブル８５のデータ構成図である。
【図１１】基本支払テーブル９１のデータ構成図である。
【図１２】配布実績支払テーブル９２のデータ構成図である。
【図１３】配布属性支払テーブル９３のデータ構成図である。
【図１４】課金総額テーブル９４のデータ構成図である。
【図１５】コンテンツデータ記憶領域２３３のデータ構成図である。
【図１６】広告データ記憶領域２３４のデータ構成図である。
【図１７】配布物データ記憶領域２３５のデータ構成図である。
【図１８】印刷システム１におけるデータの流れを示すタイミングチャートである。
【図１９】配布物登録画面１０１の一例を示す図である。
【図２０】配布物検索画面１０２の一例を示す図である。
【図２１】検索結果画面１０３の一例を示す図である。
【図２２】配布物詳細画面１０４の一例を示す図である。
【図２３】広告登録画面１０５の一例を示す図である。
【図２４】掲載条件確認画面１０６の一例を示す図である。
【図２５】印刷実行画面１０７の一例を示す図である。
【図２６】配布者ＰＣ３の端末側処理を示すフローチャートである。
【図２７】広告主ＰＣ５の端末側処理を示すフローチャートである。
【図２８】サーバ２のメイン処理を示すフローチャートである。
【図２９】配布物登録処理を示すフローチャートである。
【図３０】広告掲載処理を示すフローチャートである。
【図３１】配布物印刷処理を示すフローチャートである。
【図３２】閲覧カウント処理を示すフローチャートである。
【図３３】精算バッチ処理を示すフローチャートである。
【発明を実施するための形態】
【００１９】
以下、本発明の一実施形態に係る印刷システム１について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００２０】
図１を参照して、印刷システム１について説明する。印刷システム１は、コンテンツおよび広告を紙媒体に印刷して、配布物を作成するシステムである。コンテンツは、配布物の実体的部分（広告以外の画像や文章）であり、言い換えると広告が付与される前の配布物である。印刷システム１では、サーバ２、複数の端末装置、携帯端末７が、インターネット６を介して接続されている。
【００２１】
複数の端末装置のうち、配布物を作成するユーザ（以下、配布者）の端末装置を、配布者ＰＣ３という。配布物に広告を掲載するユーザ（以下、広告主）の端末装置を、広告主ＰＣ５という。プリンタ４は、配布者ＰＣ３にローカル接続されている。携帯端末７（例えば、携帯電話やＰＤＡなど）は、第三者（例えば、歩行者や会合参加者など）が所有している。
【００２２】
本実施形態では、配布者ＰＣ３を使用する配布者が、パソコンの新機種を紹介するコンテンツが印刷された配布物「新作パソコンのご案内」を、サーバ２に登録する。広告主ＰＣ５を使用する広告主が、配布物「新作パソコンのご案内」に掲載する自社製品の広告「Ｂ社製プリンタ」を、サーバ２に登録する。サーバ２は、配布者ＰＣ３からの指示に応じて、広告「Ｂ社製プリンタ」が付加された配布物「新作パソコンのご案内」の印刷データを作成して、配布者ＰＣ３に送信する。配布者ＰＣ３は、サーバ２から受信した印刷データに基づいてプリンタ４に印刷を実行させて、広告付きの配布物を作成する。
【００２３】
配布者は、プリンタ４で作成された広告付きの配布物「新作パソコンのご案内」を、第三者に配布する。この配布物には、固有のアドレス情報が印刷されている。第三者は、携帯端末７を使用して、固有のアドレス情報が示すサイトにアクセスすることができる。これにより、携帯端末７は、配布物「新作パソコンのご案内」の詳細情報やクーポンなどの付加情報を入手可能である。
【００２４】
図２を参照して、サーバ２の電気的構成について説明する。サーバ２は、汎用のサーバと同様の構成であり、ＣＰＵ２０、ＲＯＭ２１、ＲＡＭ２２、ＨＤＤ２３、ＬＡＮポート２４、および通信インタフェイス（Ｉ／Ｆ）２５を備える。ＲＯＭ２１、ＲＡＭ２２、および通信Ｉ／Ｆ２５は、ＣＰＵ２０に接続されている。ＬＡＮポート２４は、通信Ｉ／Ｆ２５に接続されている。通信Ｉ／Ｆ２５は、ＬＡＮポート２４を介してインターネット６にサーバ２を接続するコントローラである。
【００２５】
ＨＤＤ２３は、大容量のハードディスクドライブであり、プログラム記憶領域２３１、テーブル記憶領域２３２、コンテンツデータ記憶領域２３３、広告データ記憶領域２３４、および配布物データ記憶領域２３５などが設けられている。プログラム記憶領域２３１は、ＣＰＵ２０に各種処理を実行させるプログラムを記憶する。テーブル記憶領域２３２は、後述する各種テーブルを記憶する。コンテンツデータ記憶領域２３３は、配布者がサーバ２に登録したコンテンツのデジタルデータ（以下、コンテンツデータという。）を記憶する。広告データ記憶領域２３４は、広告主がサーバ２に登録した広告のデジタルデータ（以下、広告データという。）を記憶する。配布物データ記憶領域２３５は、サーバ２で生成された配布物の印刷データ（以下、配布物データという。）を記憶する。
【００２６】
図３を参照して、配布者ＰＣ３の電気的構成について説明する。配布者ＰＣ３は、汎用のパーソナルコンピュータと同様の構成であり、ＣＰＵ３０、ＲＯＭ３１、ＲＡＭ３２、ＨＤＤ３３、ＬＡＮポート３４、通信インタフェイス（Ｉ／Ｆ）３５、ディスプレイ３６、および入力部３７を備える。ＲＯＭ３１、ＲＡＭ３２、通信Ｉ／Ｆ３５、ディスプレイ３６、および入力部３７は、ＣＰＵ３０に接続されている。ＬＡＮポート３４は、通信Ｉ／Ｆ３５に接続されている。通信Ｉ／Ｆ３５は、ＬＡＮポート３４を介してインターネット６やプリンタ４に配布者ＰＣ３を接続している。入力部３７は、配布者が配布者ＰＣ３の入力操作を行う部位であり、例えばマウスやキーボードである。
【００２７】
図４を参照して、プリンタ４の電気的構成について説明する。プリンタ４は、汎用のネットワークプリンタと同様の構成であり、ＣＰＵ４０、ＲＯＭ４１、ＲＡＭ４２、フラッシュメモリ４３、ＬＡＮポート４４、通信インタフェイス（Ｉ／Ｆ）４５、および印刷部４６を備える。ＲＯＭ４１、ＲＡＭ４２、フラッシュメモリ４３、通信Ｉ／Ｆ４５、および印刷部４６は、ＣＰＵ４０に接続されている。ＬＡＮポート４４は、通信Ｉ／Ｆ４５に接続されている。通信Ｉ／Ｆ４５は、ＬＡＮポート４４を介して配布者ＰＣ３にプリンタ４を接続している。印刷部４６は、紙媒体に印刷を行う部位である。印刷部４６は、例えばインクジェット方式、レーザー方式、熱転写方式等によって印刷を行えばよい。
【００２８】
図５を参照して、広告主ＰＣ５の電気的構成について説明する。広告主ＰＣ５は、配布者ＰＣ３と同様の構成であり、ＣＰＵ５０、ＲＯＭ５１、ＲＡＭ５２、ＨＤＤ５３、ＬＡＮポート５４、通信インタフェイス（Ｉ／Ｆ）５５、ディスプレイ５６、および入力部５７を備える。通信Ｉ／Ｆ５５は、ＬＡＮポート５４を介してインターネット６に広告主ＰＣ５を接続している。入力部５７は、広告主が広告主ＰＣ５の入力操作を行う部位であり、例えばマウスやキーボードである。
【００２９】
図示しないが、携帯端末７は、公知の携帯電話やＰＤＡと同様の構成であり、ＣＰＵ、ＲＯＭ、ＲＡＭ、フラッシュメモリ、通信Ｉ／Ｆ、アンテナ、スピーカ等のデバイスを備えている。さらに、本実施形態では、携帯端末７がカメラを備えているため、配布物に印刷されているＱＲコード（登録商標第４０７５０６６号）に代表される１次元シンボルや２次元シンボルを読み取り可能であるが、詳細は後述する。
【００３０】
図６〜図１４を参照して、ＨＤＤ２３のテーブル記憶領域２３２に記憶されている各種データテーブルについて説明する。テーブル記憶領域２３２には、ユーザや配布物に関する情報を記憶するテーブル（配布者テーブル８１、広告主テーブル８２、登録者テーブル８３、配布物テーブル８４、履歴テーブル８５）と、課金に関する情報を記憶するテーブル（基本支払テーブル９１、配布実績支払テーブル９２、配布属性支払テーブル９３、課金総額テーブル９４）とが記憶されている。
【００３１】
図６に示すように、配布者テーブル８１は、配布者に関する情報を記憶するテーブルである。配布者テーブル８１には、配布者ＩＤ、パスワード、口座情報などを含むレコードが、配布者ごとに記憶されている。本実施形態では、配布者ＰＣ３を使用する配布者に対応して、配布者ＩＤ「Ｔ００１」をキーとするレコードが、配布者テーブル８１に予め登録されている。
【００３２】
図７に示すように、広告主テーブル８２は、広告主に関する情報を記憶するテーブルである。広告主テーブル８２には、広告主ＩＤ、パスワード、口座情報などを含むレコードが、配布者ごとに記憶されている。本実施形態では、広告主ＰＣ５を使用する広告主に対応して、広告主ＩＤ「Ｓ００１」をキーとするレコードが、広告主テーブル８２に予め登録されている。
【００３３】
図８に示すように、登録者テーブル８３は、登録者に関する情報を記憶するテーブルである。ユーザは、後述する付加情報の提供サービスを受けたい場合、登録者テーブル８３に自身の情報を登録する。つまり、登録者テーブル８３は、付加情報の提供サービスを受けるユーザ（以下、登録者）に関する情報を記憶するテーブルである。登録者テーブル８３には、登録者ＩＤ、パスワード、地域、年齢、興味などを含むレコードが、登録者ごとに記憶されている。本実施形態では、携帯端末７を使用する登録者に対応して、登録者ＩＤ「Ｕ００１」をキーとするレコードが、登録者テーブル８３に予め登録されている。
【００３４】
図９に示すように、配布物テーブル８４は、配布物に関する情報を記憶するテーブルである。配布物テーブル８４には、配布物ＩＤ、コンテンツＩＤ、広告ＩＤ、閲覧数、広告ステータスなどを含むレコードが、配布物ごとに記憶されている。閲覧数は、配布物に固有のサイト（詳細には、後述のＱＲコードが示すアドレスのサイト）へのアクセス数を示す。広告ステータスは、配布物に掲載する広告を募集中であるか否かを示す。詳細には、現在日時が配布予定期間（図１９参照）よりも前である場合、広告ステータスに「募集中」が設定される。現在日時が配布予定期間（図１９参照）以降である場合、広告ステータスに「募集終了」が設定される。本実施形態では、配布物「新作パソコンのご案内」に対応して、配布物ＩＤ「Ｈ００１」をキーとするレコードが配布物テーブル８４に登録されるが、詳細は後述する。
【００３５】
図１０に示すように、履歴テーブル８５は、配布物に固有のサイトへのアクセス履歴に関する情報を記憶するテーブルである。履歴テーブル８５には、履歴ＩＤ、日付、配布物ＩＤ、登録者ＩＤなどを含むレコードが、配布物に固有のサイトへのアクセスごとに記憶されている。本実施形態では、携帯端末７を使用する登録者のアクセスに対応して、履歴ＩＤ「Ｒ１０１」をキーとするレコードが履歴テーブル８５に登録されるが、詳細は後述する。
【００３６】
図１１に示すように、基本支払テーブル９１は、広告主から配布者に支払われる広告掲載料の基本条件を定めるテーブルである。基本支払テーブル９１には、配布物ＩＤ、ステータス、小計、印刷単価、配布単価、印刷実績、配布実績などを含むレコードが、配布物ごとに記憶されている。ステータスは、基本条件に基づく課金処理が終了したか否を、「処理済」または「未処理」で示す。本実施形態では、配布物「新作パソコンのご案内」に対応して、配布物ＩＤ「Ｈ００１」をキーとするレコードが基本支払テーブル９１に登録されるが、詳細は後述する。
【００３７】
図１２に示すように、配布実績支払テーブル９２は、配布物の配布実績に基づく広告掲載料の加算条件を定めるテーブルである。配布物の配布実績は、印刷システム１で作成された配布物のうちで実際に第三者に配布されたとみなされる配布物の数量である。本実施形態では、配布物に固有のサイトへのアクセス数が、配布物の配布実績としてみなされる。配布実績支払テーブル９２には、配布物ＩＤ、ステータス、小計、設定配布数、加算額、配布実績などを含むレコードが、配布物ごとに記憶されている。ステータスは、配布実績に基づく課金処理が終了したか否を、「処理済」または「未処理」で示す。本実施形態では、配布物「新作パソコンのご案内」に対応して、配布物ＩＤ「Ｈ００１」をキーとするレコードが配布実績支払テーブル９２に登録されるが、詳細は後述する。
【００３８】
図１３に示すように、配布属性支払テーブル９３は、配布物の配布属性に基づく広告掲載料の加算条件を定めるテーブルである。配布物の配布属性は、印刷システム１で作成された配布物を閲覧したとみなされる第三者の属性である。本実施形態では、配布物に固有のサイトへアクセスした第三者の属性が、配布物の配布属性としてみなされる。配布属性支払テーブル９３には、配布物ＩＤ、ステータス、小計、設定属性、加算額、配布実績などを含むレコードが、広告主の設定属性ごとに記憶されている。ステータスは、配布属性に基づく課金処理が終了したか否を、「処理済」または「未処理」で示す。本実施形態では、広告主の設定属性「コンピュータ」、「男性」のそれぞれに対応して、配布物ＩＤ「Ｈ００１」をキーとする２つのレコードが配布属性支払テーブル９３に登録されるが、詳細は後述する。
【００３９】
図１４に示すように、課金総額テーブル９４は、広告掲載料の総額を定めるテーブルである。課金総額テーブル９４には、配布物ＩＤ、ステータス、総額などを含むレコードが、配布物ごとに記憶されている。ステータスは、配布物に関する全ての課金処理が終了したか否を、「処理済」または「未処理」で示す。本実施形態では、配布物「新作パソコンのご案内」に対応して、配布物ＩＤ「Ｈ００１」をキーとするレコードが課金総額テーブル９４に登録されるが、詳細は後述する。
【００４０】
図１５を参照して、ＨＤＤ２３のコンテンツデータ記憶領域２３３について説明する。コンテンツデータ記憶領域２３３には、コンテンツＩＤ、配布物のタイトル、配布者ＩＤ、キーワード、コンテンツデータなどを含むレコードが、コンテンツデータごとに記憶されている。本実施形態では、配布物「新作パソコンのご案内」に含まれるコンテンツデータ「Ｎｅｗ＿ＰＣ．ｄｏｃ」に対応して、コンテンツＩＤ「Ｃ００１」をキーとするレコードがコンテンツデータ記憶領域２３３に登録されるが、詳細は後述する。
【００４１】
図１６を参照して、ＨＤＤ２３の広告データ記憶領域２３４について説明する。広告データ記憶領域２３４には、広告ＩＤ、広告主ＩＤ、広告データなどを含むレコードが、広告データごとに記憶されている。本実施形態では、「Ｂ社製プリンタ」の広告データ「Ｐｒｉｎｔｅｒ＿ＡＤ．ｊｐｇ」に対応して、広告ＩＤ「Ａ００１」をキーとするレコードが広告データ記憶領域２３４に登録されるが、詳細は後述する。
【００４２】
図１７を参照して、ＨＤＤ２３の配布物データ記憶領域２３５について説明する。配布物データ記憶領域２３５には、配布物ＩＤ、配布物データ、ＱＲコード接続先などを含むレコードが、配布物データごとに記憶されている。本実施形態では、配布物「新作パソコンのご案内」を印刷するための配布物データ「ｐｒｉｎｔ０１．ｘｙｚ」に対応して、配布物ＩＤ「Ｈ００１」をキーとするレコードが配布物データ記憶領域２３５に登録されるが、詳細は後述する。
【００４３】
図１８〜図２５を参照して、印刷システム１で実行されるデータの流れを、配布者ＰＣ３および広告主ＰＣ５で表示される画面例を参照しつつ説明する。配布者は、配布者ＰＣ３を使用してサーバ２にアクセスし、ディスプレイ３６に配布物登録画面１０１（図１９参照）を表示する。配布者は、入力部３７を操作して、作成予定の配布物に関する情報や配布物のコンテンツデータなどを配布物登録画面１０１に設定する。
【００４４】
図１９に示す配布物登録画面１０１では、作成予定の配布物について、タイトル、概要、キーワード、配布対象、予定配布部数、配布予定期間、広告掲載希望、第三者への内容公開、広告掲載依頼の連絡方法、詳細リンクＵＲＬ、データパスなどを設定可能である。キーワードおよび配布対象は、広告主が広告掲載対象となる配布物を検索するための情報であり、配布者が自由に設定すればよい。配布対象は、主たる配布対象者のジャンル、年齢、性別、地域などを含んでいる。
【００４５】
広告掲載希望は、配布物に対する広告掲載を希望するか否かを示す。内容公開は、配布物に関する情報を第三者に公開するか否かを示す。連絡方法は、広告掲載を希望する広告主が配布者と連絡をとる手段を示す。詳細リンクＵＲＬは、配布物を閲覧したユーザが詳細情報を入手するためのアドレスを示す。データパスは、配布物のコンテンツデータが保存されている場所を示す。なお、発明の理解を容易にするために、広告掲載希望は「する」に設定され、内容公開は「する」に設定され、連絡方法は「電子メール」に設定され、詳細リンクＵＲＬは「ｈｔｔｐ：／／・・・」に設定されているものとし、これらの項目に関する処理の説明は省略する。
【００４６】
本実施形態では、配布者が配布物登録画面１０１上で、タイトル「新作パソコンのご案内」、キーワード「パソコン」、ジャンル「コンピュータ」、年齢「３０代」、性別「男性」、地域「愛知」、予定配布部数「３０００」、配布予定期間「４月１日〜６月３０日」などを設定し、さらにコンテンツデータ「Ｎｅｗ＿ＰＣ．ｄｏｃ」へのデータパスを設定する。そして、配布者が配布物登録画面１０１の「登録」を選択すると、配布者ＰＣ３からサーバ２へ登録申請が送信される（図１８の状態Ｔ１）。登録申請は、サーバ２に配布物の登録を要求する信号であり、配布物登録画面１０１に設定された各種情報を含んでいる。さらに、コンテンツデータ「Ｎｅｗ＿ＰＣ．ｄｏｃ」が、配布者ＰＣ３からサーバ２へアップロードされる（図１８の状態Ｔ２）。
【００４７】
一方、広告主は、広告主ＰＣ５を使用してサーバ２にアクセスし、ディスプレイ５６に配布物検索画面１０２（図２０参照）を表示する。広告主は、入力部５７を操作して、配布物検索画面１０２に広告を掲載したい配布物の検索条件などを設定する。
【００４８】
図２０に示す配布物検索画面１０２では、配布物の検索条件として、キーワード、配布規模、配布対象、配布時期、オプションなどを設定可能である。配布物検索画面１０２のキーワード、配布規模、配布対象、配布時期は、それぞれ、配布物登録画面１０１のキーワード、予定配布部数、配布対象、配布予定期間に対応する情報である。オプションは、広告募集中の配布物、登録日時が最近の配布物、第三者への内容公開が「する」に設定されている配布物などに、検索対象を絞りこむための項目である。また、配布者ＩＤや配布物ＩＤの入力欄は、配布者ＩＤや配布物ＩＤをキーにして配布物を検索する項目である。なお、発明の理解を容易にするために、オプション、配布者ＩＤ、配布物ＩＤには「未入力」に設定されているものとし、これらの項目に関する処理の説明は省略する。
【００４９】
本実施形態では、広告主が配布物検索画面１０２上で、キーワード「パソコン」、ジャンル「コンピュータ」、性別「男性」を設定する。そして、広告主が配布物検索画面１０２の「検索」を選択すると、広告主ＰＣ５からサーバ２へ検索要求が送信される（図１８の状態Ｔ３）。検索要求は、サーバ２に配布物の検索を要求する信号であり、配布物検索画面１０２に設定された各種情報を含んでいる。
【００５０】
サーバ２では、検索要求に含まれる検索条件を満たす配布物が検索されて、その検索結果が広告主ＰＣ５へ送信される（図１８の状態Ｔ４）。広告主ＰＣ５では、サーバ２の検索結果に基づいて、検索結果画面１０３（図２１参照）がディスプレイ５６に表示される。図２１に示す検索結果画面１０３では、キーワード「パソコン」、ジャンル「コンピュータ」、性別「男性」を全て含む配布物が一覧表示されている。広告主が検索結果画面１０３に広告を掲載したい配布物として「新作パソコンのご案内」を選択すると、その詳細情報を示す配布物詳細画面１０４（図２２参照）がディスプレイ５６に表示される。
【００５１】
なお、広告主は、配布物詳細画面１０４の「詳細情報リンクはコチラ」を選択すると、配布物詳細画面１０４に表示されている配布物の詳細情報を参照できる。また、配布物詳細画面１０４の「過去の配布情報はコチラ」を選択すると、配布物詳細画面１０４に表示されている配布物を作成した配布者によって過去に作成された配布物に関する情報（例えば、過去の配布物に関する配布実績や配布属性など）を参照できるが、詳細は後述する。
【００５２】
広告主が配布物詳細画面１０４の「広告掲載依頼」を選択すると、広告登録画面１０５（図２３参照）がディスプレイ５６に表示される。広告主は入力部５７を操作して、広告を掲載する条件や配布物に掲載する広告データを、広告登録画面１０５に設定する。図２３に示す広告登録画面１０５では、広告が掲載される配布物の印刷数または配布数に基づく基本的な広告掲載料（印刷単価または配布単価）を設定できる。また、広告が掲載される配布物の配布実績および配布属性に基づいて追加される広告掲載料（ボーナス）を設定できる。配布物に掲載する広告データが保存されている場所を、データパスに設定できる。
【００５３】
本実施形態では、広告主が広告登録画面１０５上で、配布物が１部印刷されるごとに１．５円課金されるように、印刷数による価格設定を行う。配布物の配布属性がジャンル「コンピュータ」、性別「男性」のいずれかに該当する場合、１部当たり３．０円追加課金されるように、配布属性ボーナスを設定する。配布物の配布実績が２００部以上である場合、１部当たり１．０円追加課金されるように、配布実績ボーナスを設定する。広告主は、広告データ「Ｐｒｉｎｔｅｒ＿ＡＤ．ｊｐｇ」のデータパスを設定する。
【００５４】
広告主が広告登録画面１０５の「登録」を選択すると、広告主ＰＣ５からサーバ２へ掲載対象指定が送信される（図１８の状態Ｔ５）。掲載対象指定は、サーバ２に広告掲載を希望する配布物を指定する信号であり、広告登録画面１０５に設定された各種情報を含む。さらに、広告データ「Ｐｒｉｎｔｅｒ＿ＡＤ．ｊｐｇ」が、広告主ＰＣ５からサーバ２へアップロードされる（図１８の状態Ｔ６）。掲載対象指定を受信したサーバ２では、配布物「新作パソコンのご案内」の配布者（つまり、配布者ＰＣ３）に対して、掲載希望通知が送信される（図１８の状態Ｔ７）。掲載希望通知は、配布者に対して配布物への広告掲載を許可するか否かを問い合わせる信号であり、広告登録画面１０５（図２３参照）の設定内容が含まれる。
【００５５】
掲載希望通知を受信した配布者ＰＣ３では、掲載条件確認画面１０６（図２４参照）がディスプレイ３６に表示される。図２４に示す掲載条件確認画面１０６では、広告登録画面１０５に設定された各種情報が表示される。配布者は、掲載条件確認画面１０６に示される広告掲載条件を参考にして、配布物への広告掲載を許可するか否かを判断すればよい。配布者は、掲載条件確認画面１０６の「広告データ確認」を選択することで、ディスプレイ３６に広告データを表示して内容を確認することもできる。
【００５６】
配布者は、配布物への広告掲載を許可する場合、掲載条件確認画面１０６の「了承」を選択する。この場合、配布者ＰＣ３からサーバ２へ了承指示が送信される（図１８の状態Ｔ８）。了承指示は、配布物への広告掲載が許可されたことを示す信号である。サーバ２では、配布者ＰＣ３から了承指示を受信した場合、広告主ＰＣ５へ掲載許可通知が送信される（図１８の状態Ｔ９）。掲載許可通知を受信した広告主ＰＣ５では、広告掲載が許可されたことを示す画面がディスプレイ３６に表示される。
【００５７】
なお、配布者は、配布物への広告掲載を拒否する場合、掲載条件確認画面１０６の「拒否」を選択する。この場合、配布者ＰＣ３からサーバ２へ拒否指示が送信される。拒否指示は、配布物への広告掲載が拒否されたことを示す信号である。サーバ２では、配布者ＰＣ３から拒否指示を受信した場合、広告主ＰＣ５へ掲載拒否通知が送信される。掲載拒否通知を受信した広告主ＰＣ５では、広告掲載が拒否されたことを示す画面がディスプレイ３６に表示される。
【００５８】
以上の流れ（状態Ｔ１〜Ｔ９）によって、サーバ２にコンテンツデータおよび広告データが登録され、且つ、配布物に対する広告掲載に関する交渉が成立する。その後、配布者は、配布者ＰＣ３を使用してサーバ２にアクセスし、配布物「新作パソコンのご案内」の印刷指示を行って、ディスプレイ３６に印刷実行画面１０７（図２５）を表示する。図２５に示す印刷実行画面１０７では、配布物「新作パソコンのご案内」に関する情報や、配布物データ「ｐｒｉｎｔ０１．ｘｙｚ」に基づく画像などが表示されている。配布者は印刷実行画面１０７上で、印刷数（例えば、３０００）を指定したり、印刷を実行するプリンタ（例えば、プリンタ４）を指定したりすることができる。
【００５９】
配布者が印刷実行画面１０７の「印刷実行」を選択すると、配布者ＰＣ３からサーバ２へ配布物取得要求が送信される（図１８の状態Ｔ１０）。配布物取得要求は、サーバ２に配布物を印刷するためのデータを要求する信号であり、印刷実行画面１０７に設定された各種情報を含む。配布物取得要求を受信したサーバ２では、指定された印刷数およびプリンタに応じて配布物データが生成されて、配布者ＰＣ３に送信される（図１８の状態Ｔ１１）。
【００６０】
配布物データを受信した配布者ＰＣ３では、プリンタ４に配布物データに基づく印刷を実行させることで、広告が付与された配布物を作成する。プリンタ４での印刷実行後、配布者ＰＣ３からサーバ２へ印刷完了通知が送信される（図１８の状態Ｔ１２）。印刷完了通知は、サーバ２に配布物の印刷完了および印刷数を通知する信号である。サーバ２では、例えば配布物の印刷数に応じて広告主に課金される。本実施形態では、印刷データ「ｐｒｉｎｔ０１．ｘｙｚ」に基づいて、プリンタ４で広告主ＰＣ５の広告が掲載された配布物「新作パソコンのご案内」が３０００部印刷される。
【００６１】
配布者は、プリンタ４で印刷された配布物を、歩行者や会合参加者などに配布する（図１８の状態Ｔ１３）。配布物には、配布物に固有のサイトを示すＱＲコードが印刷されている。配布物を閲覧するユーザは、携帯端末７を使用してＱＲコードが示すサイトにアクセスすると、付加的な情報（例えば、配布物の詳細情報やクーポンなど）を得ることができる（図１８の状態Ｔ１４）。サーバ２では、配布物に固有のサイトへのアクセスが管理されており、例えば第三者のアクセス数（アクセス要求の受信数）に応じて広告主に課金される。本実施形態では、配布物「新作パソコンのご案内」に固有のサイトに、５００回のアクセスがあったものとする。
【００６２】
図２６〜図３３を参照して、印刷システム１で実行される処理を説明する。印刷システム１では、配布者ＰＣ３、広告主ＰＣ５、およびサーバ２において、以下に説明する処理がそれぞれ実行される。
【００６３】
図２６を参照して、配布者ＰＣ３の端末側処理について説明する。本処理は、配布者ＰＣ３の電源が投入されると、ＨＤＤ３３に記憶されているプログラムに基づいて、ＣＰＵ３０によって実行される。
【００６４】
配布者ＰＣ３の端末側処理では、配布物登録画面１０１（図１９）が表示され、且つ「登録」が入力された場合（Ｓ１：ＹＥＳ）、サーバ２へ登録申請が送信される（Ｓ３）。サーバ２へコンテンツデータがアップロードされる（Ｓ５）。ステップＳ５の実行後、および「登録」が入力されない場合（Ｓ１：ＮＯ）、処理はステップＳ７に進む。
【００６５】
サーバ２から掲載希望通知を受信した場合（Ｓ７：ＹＥＳ）、掲載条件確認画面１０６（図２４）が表示される。掲載条件確認画面１０６の「了承」が入力された場合（Ｓ１：ＹＥＳ）、サーバ２へ了承指示が送信されて（Ｓ１１）、処理はステップＳ１３に進む。掲載条件確認画面１０６（図２４）の「拒否」が入力された場合（Ｓ１：ＮＯ）、サーバ２へ拒否指示が送信されて、処理はステップＳ１３に進む。
【００６６】
印刷実行画面１０７（図２５）が表示され、且つ「印刷実行」が入力された場合（Ｓ１３：ＹＥＳ）、サーバ２へ配布物取得要求が送信される（Ｓ１５）。ステップＳ１５の実行後、サーバ２から配布物データが受信される（Ｓ１７）。ステップＳ１７で受信された配布物データに基づいて、プリンタ４に印刷処理を実行させる（Ｓ１９）。印刷処理の完了後、サーバ２へ印刷完了通知が送信される（Ｓ２１）。ステップＳ２１の実行後、または「印刷実行」が入力されない場合（Ｓ１３：ＮＯ）、処理はステップＳ１に戻る。
【００６７】
なお、図１８に示す状態Ｔ１〜Ｔ１４のうち、ステップＳ３によって状態Ｔ１が実行される。ステップＳ５によって状態Ｔ２が実行される。ステップＳ１１によって状態Ｔ８が実行される。ステップＳ１５によって状態Ｔ１０が実行される。ステップＳ２１によって状態Ｔ１２が実行される。
【００６８】
図２７を参照して、広告主ＰＣ５の端末側処理について説明する。本処理は、広告主ＰＣ５の電源が投入されると、ＨＤＤ５３に記憶されているプログラムに基づいて、ＣＰＵ５０によって実行される。
【００６９】
広告主ＰＣ５の端末側処理では、配布物検索画面１０２（図２０）が表示され、且つ「検索」が入力された場合（Ｓ５１：ＹＥＳ）、サーバ２へ検索要求が送信される（Ｓ５３）。ステップＳ５３の実行後、サーバ２から検索結果が受信され（Ｓ５５）、検索結果画面１０３（図２１）が表示される。検索結果画面１０３でコンテンツが指定されると、配布物詳細画面１０４（図２２）が表示される。配布物詳細画面１０４の「広告掲載依頼」が入力されると、広告登録画面１０５（図２３）が表示される。このように、広告主ＰＣ５で画面操作が行われると、サーバ２へ必要な情報を要求する検索要求が送信される。検索要求に応じて返信される情報に基づいて、上記の各種画面が表示される。
【００７０】
広告登録画面１０５の「登録」が入力された場合（Ｓ５７：ＹＥＳ）、サーバ２へ掲載対象指定が送信される（Ｓ５９）。サーバ２へ広告データがアップロードされる（Ｓ６１）。サーバ２から掲載許可通知を受信した場合（Ｓ６３：ＹＥＳ）、広告掲載が許可されたことを示す画面が表示される（Ｓ６５）。ステップＳ６５の実行後、または「登録」が入力されない場合（Ｓ５７：ＮＯ）、処理はステップＳ５１に戻る。サーバ２から掲載拒否通知が受信された場合（Ｓ６３：ＮＯ）、広告掲載が拒否されたことを示す画面が表示され、処理はステップＳ５１に戻る。
【００７１】
なお、図１８に示す状態Ｔ１〜Ｔ１４のうち、ステップＳ５３によって状態Ｔ３が実行される。ステップＳ５９によって状態Ｔ５が実行される。ステップＳ６１によって状態Ｔ６が実行される。
【００７２】
図２８〜図３３を参照して、サーバ２のメイン処理について説明する。本処理は、サーバ２の電源が投入されると、ＨＤＤ２３に記憶されているプログラムに基づいて、ＣＰＵ２０によって実行される。
【００７３】
図２８に示すように、サーバ２のメイン処理では、配布者ＰＣ３から登録申請を受信した場合（Ｓ１０１：ＹＥＳ）、図２９に示す配布物登録処理が実行される（Ｓ１０３）。ステップＳ１０３の実行後、または登録申請を受信していない場合（Ｓ１０１：ＮＯ）、処理はステップＳ１０５に進む。広告主ＰＣ５から検索要求を受信した場合（Ｓ１０５：ＹＥＳ）、図３０に示す広告掲載処理が実行される（Ｓ１０７）。ステップＳ１０７の実行後、または検索要求を受信していない場合（Ｓ１０５：ＮＯ）、処理はステップＳ１０９に進む。
【００７４】
配布者ＰＣ３から配布物取得要求を受信した場合（Ｓ１０９：ＹＥＳ）、図３１に示す配布物印刷処理が実行される（Ｓ１１１）。ステップＳ１１１の実行後、または配布物取得要求を受信していない場合（Ｓ１０９：ＮＯ）、処理はステップＳ１１３に進む。携帯端末７からアクセス要求を受信した場合（Ｓ１１３：ＹＥＳ）、図３２に示す閲覧カウント処理が実行される（Ｓ１１５）。ステップＳ１１５の実行後、またはアクセス要求を受信していない場合（Ｓ１１３：ＮＯ）、図３３に示す精算バッチ処理が実行される（Ｓ１１７）。ステップＳ１１７の実行後、処理はステップＳ１０１に戻る。
【００７５】
図２９に示すように、配布物登録処理では、配布者ＰＣ３からアップロードされるコンテンツデータが受信される（Ｓ２０１）。ステップＳ２０１で受信されたコンテンツデータと、新規に発行されたコンテンツＩＤと、配布者ＰＣ３の配布者ＩＤと、登録申請に含まれる各種情報とを含むレコードが、コンテンツデータ記憶領域２３３に登録される。本実施形態では、配布物登録画面１０１（図１９）の設定内容に基づいて、コンテンツＩＤ「Ｃ００１」、配布者ＩＤ「Ｔ００１」、キーワード「パソコン」、ジャンル「コンピュータ」、コンテンツデータ「Ｎｅｗ＿ＰＣ．ｄｏｃ」などを含むレコードが、コンテンツデータ記憶領域２３３に登録される（図１５参照）。
【００７６】
ステップＳ２０１の実行後、新規の配布物ＩＤが発行される（Ｓ２０３）。ステップＳ２０１で発行された配布物ＩＤを含む新規のレコードが、配布物テーブル８４、課金総額テーブル９４、配布物データ記憶領域２３５に登録される（Ｓ２０５）。本実施形態では、新規に発行された配布物ＩＤ「Ｈ００１」を含むレコードが、配布物テーブル８４に登録される（図９参照）。このレコードには、ステップＳ２０１で受信されたコンテンツデータのコンテンツＩＤ「Ｃ００１」と、広告ステータス「募集中」とが含まれ、その他の項目が「空欄」に設定される。課金総額テーブル９４および配布物データ記憶領域２３５には、新規に発行された配布物ＩＤ「Ｈ００１」が含まれ、その他の項目が「空欄」に設定されたレコードが登録される。ステップＳ２０５の実行後、処理はメイン処理（図２８）に戻る。
【００７７】
図３０に示すように、広告掲載処理では、検索要求に含まれる検索条件をキーとして、該当コンテンツのレコードが検索される（Ｓ３０１）。該当コンテンツは、検索要求に含まれる検索条件をすべて満たすコンテンツである。該当コンテンツのタイトルを示す検索結果が、広告主ＰＣ５へ送信される（Ｓ３０３）。本実施形態では、配布物検索画面１０２（図２０）の設定内容に基づいて、キーワード「パソコン」、ジャンル「コンピュータ」、性別「男性」を全て含むレコード（図１５の例では、コンテンツＩＤ「Ｃ００１」のレコード）が、コンテンツデータ記憶領域２３３から検索される。タイトル「新作パソコンのご案内」などを含む検索結果が、広告主ＰＣ５へ送信される。
【００７８】
ステップＳ３０３の実行後、掲載対象指定を受信したか否かが判断される（Ｓ３０５）。掲載対象指定を受信した場合（Ｓ３０５：ＹＥＳ）、配布者ＰＣ３へ掲載希望通知が送信される（Ｓ３０７）。ステップＳ３０７の実行後、広告主ＰＣ５からアップロードされる広告データが受信される（Ｓ３０９）。ステップＳ３０９で受信された広告データと、新規に発行された広告ＩＤと、掲載対象指定に含まれる各種情報とを含むレコードが、広告データ記憶領域２３４に登録される。本実施形態では、広告登録画面１０５（図２３参照）の設定内容に基づいて、広告ＩＤ「Ａ００１」、広告主ＩＤ「Ｓ００１」、広告データ「Ｐｒｉｎｔｅｒ＿ＡＤ．ｊｐｇ」などを含むレコードが、広告データ記憶領域２３４に登録される（図１６参照）。
【００７９】
ステップＳ３０９の実行後、配布者ＰＣ３から了承指示を受信したか否かが判断される（Ｓ３１１）。了承指示を受信した場合（Ｓ３１１：ＹＥＳ）、該当コンテンツを含む配布物のＩＤと、掲載対象指定に含まれる各種情報とを含む新規レコードが、基本支払テーブル９１、配布実績支払テーブル９２、配布属性支払テーブル９３に登録される。
【００８０】
本実施形態では、配布物ＩＤ「Ｈ００１」およびステータス「未処理」を含むレコードが各テーブルに登録される（図１１〜図１３参照）。さらに、掲載対象指定に含まれる各種情報が、各レコードに設定される。すなわち、基本支払テーブル９１に登録されるレコードでは、印刷単価に「１．５」が設定され、その他の項目が「空欄」に設定される。配布実績支払テーブル９２に登録されるレコードでは、設定配布数に「３００」、加算額に「１．０」、その他の項目に「空欄」が設定される。配布属性支払テーブル９３には、設定属性「コンピュータ」および加算額「３．０」が含まれたレコードと、設定属性「コンピュータ」および加算額「２．０」が含まれたレコードとが登録され、これらのレコードにおけるその他の項目には「空欄」が設定される。
【００８１】
さらに、掲載許可通知が広告主ＰＣ５へ送信される（Ｓ３１３）。ステップＳ３１３の実行後、および掲載対象指定を受信しない場合（Ｓ３０５：ＮＯ）、処理はメイン処理（図２８）に戻る。拒否指示を受信した場合（Ｓ３１１：ＮＯ）、掲載拒否通知が広告主ＰＣ５へ送信されて、処理はメイン処理（図２８）に戻る。
【００８２】
なお、サーバ２は、広告主ＰＣ５の画面操作に基づく検索要求を受信した場合も、ＨＤＤ２３から必要な情報を検索して、広告主ＰＣ５へ返信する（Ｓ３０１〜Ｓ３０３）。例えば、先述の配布物詳細画面１０４（図２２）で「過去の配布情報はコチラ」が入力されている場合には、配布物テーブル８４に設定されている対応レコードの閲覧数を、検索結果として返信する。よって、広告主は、各コンテンツ（つまり、コンテンツが印刷された配布物）の閲覧実績を参照して、広告掲載を希望する配布物を決定することも可能である。
【００８３】
図３１に示すように、配布物印刷処理では、配布物に固有のＱＲコードが生成される（Ｓ４０１）。ＱＲコードは、配布物に固有のサイトにアクセスするためのアドレス情報を示す。ステップＳ４０１の実行後、配布物データが合成される（Ｓ４０３）。ステップＳ４０３で生成された配布物データは、配布者ＰＣ３へ送信される（Ｓ４０５）。なお、ステップＳ４０１で生成されたＱＲコードが示す接続先のサイト（ＱＲコード接続先）と、ステップＳ４０５で生成された印刷データは、配布物データ記憶領域２３５の対応レコードに設定される。
【００８４】
本実施形態では、印刷実行画面１０７（図２５参照）の設定内容に基づいて、配布物データ記憶領域２３５から配布物ＩＤ「Ｈ００１」のレコードが特定される。配布物ＩＤ「Ｈ００１」のレコードが示すコンテンツＩＤ「Ｃ００１」に基づいて、コンテンツデータ記憶領域２３３からコンテンツデータ「Ｎｅｗ＿ＰＣ．ｄｏｃ」が読み出される。配布物ＩＤ「Ｈ００１」のレコードが示す広告ＩＤ「Ａ００１」に基づいて、広告データ記憶領域２３４から広告データ「Ｐｒｉｎｔｅｒ＿ＡＤ．ｊｐｇ」が読み出される。読み出されたコンテンツデータおよび広告データを合成して、プリンタ４に配布物「新作パソコンのご案内」を３０００部印刷させる印刷データ「ｐｒｉｎｔ０１．ｘｙｚ」が生成および送信される。また、印刷データ「ｐｒｉｎｔ０１．ｘｙｚ」は、固有のＱＲコード接続先とともに、配布物データ記憶領域２３５に記憶されている配布物ＩＤ「Ｈ００１」のレコードに設定される（図１７参照）。
【００８５】
ステップＳ４０５の実行後、配布者ＰＣ３から印刷完了通知を受信したか否かが判断される（Ｓ４０７）。印刷完了通知を受信した場合（Ｓ４０７：ＹＥＳ）、印刷部数に基づく課金処理が実行される（Ｓ４０９）。本実施形態では、基本支払テーブル９１において、印刷完了通知が示す印刷部数「３０００」が配布物ＩＤ「Ｈ００１」のレコードに含まれる印刷実績に設定される。小計に、印刷実績「３０００」と印刷単価「１．５」を乗じた「４５００」が設定される。ステータスが、「未処理」から「処理済」に更新される。ステップＳ４０９の実行後、または印刷完了通知を受信しない場合（Ｓ４０７：ＮＯ）、処理はメイン処理（図２８）に戻る。
【００８６】
図３２に示すように、閲覧カウント処理では、アクセス要求元の携帯端末７に、配布物に固有のサイトの画像データである配布物ページが送信される（Ｓ５０１）。本実施形態では、配布物「新作パソコンのご案内」の詳細情報やクーポンを表示する配布物ページが、携帯端末７に送信される。
【００８７】
ステップＳ５０１の実行後、閲覧記録の登録が実行される（Ｓ５０３）。すなわち、アクセス要求に基づくアクセス情報のレコードが、履歴テーブル８５（図１０参照）に登録される。本実施形態では、アクセスしたユーザが登録者テーブル８３（図８参照）に個人情報（地域、年齢、興味など）が設定された登録者である場合に、履歴テーブル８５のレコードにその個人情報が設定される。正規のユーザであるか否かは、アクセス要求に含まれるパスワードと、登録者テーブル８３に登録されているレコードのパスワードとを照合することで特定できる。具体的には、ユーザが携帯端末７を使用して配布物「新作パソコンのご案内」の固有サイトにアクセスしている。そのため、履歴ＩＤ「Ｒ１０１」、登録者ＩＤ「Ｕ００１」、配布物ＩＤ「Ｈ００１」、日付「２０１０／３／１９」などを含むレコードが、履歴テーブル８５に設定されている。ステップＳ５０３の実行後、処理はメイン処理（図２８）に戻る。
【００８８】
図３３に示すように、精算バッチ処理では、配布物テーブル８４に登録されている各レコードの配布予定期間に基づいて、配布物の配布期間が終了したか否かが判断される（Ｓ６０１）。配布期間が終了した配布物がある場合（Ｓ６０１：ＹＥＳ）、その配布物について以下の課金関連処理（Ｓ６０３〜Ｓ６０９）が実行される。
【００８９】
配布実績に基づく課金処理（Ｓ６０３）では、配布期間が終了した配布物のＩＤおよび配布期間をキーとして履歴テーブル８５を検索することで、配布期間中のアクセス数がカウントされる。例えば、配布物ＩＤ「Ｈ００２」の固有サイトに１０００回のアクセスがあったとする。ただし、一の登録者が同じサイトに複数回アクセスした場合は、１回のアクセスとしてカウントされるものとする。この場合、基本支払テーブル９１（図１１参照）において、配布物ＩＤ「Ｈ００２」のレコードに、配布実績「１０００」が設定される。小計に、配布実績「１０００」に配布単価「２．０」を乗じた「２０００」が設定される。ステータスが、「未処理」から「処理済」に更新される。
【００９０】
配布実績に基づく加算処理（Ｓ６０５）では、配布期間中のアクセス数が配布属性支払テーブル９３に登録されているレコードの設定配布数よりも多い場合、その超過分に応じた広告掲載料が算定される。本実施形態では、配布物「新作パソコンのご案内」の掲載予定期間中に５００回のアクセスがあった。そのため、配布実績支払テーブル９２（図１２参照）において、超過分の「２００」に加算額「１．０」を乗じた小計「２００」が、配布物ＩＤ「Ｈ００１」のレコードに設定され、ステータスが「未処理」から「処理済」に更新される。
【００９１】
配布属性に基づく加算処理（Ｓ６０７）では、配布期間が終了した配布物のＩＤ、配布期間、設定属性（地域、年齢、興味など）をキーとして履歴テーブル８５を検索することで、配布期間中に設定属性と一致するユーザがアクセスした回数がカウントされる。本実施形態では、配布物「新作パソコンのご案内」の掲載予定期間中に、設定属性「コンピュータ」を満たすユーザから５０回のアクセスがあり、設定属性「男性」を満たすユーザから１００回のアクセスがあった。よって、配布属性支払テーブル９３（図１３参照）において、配布実績「５０」に加算額「３．０」を乗じた「１５０」が、設定属性「コンピュータ」および配布物ＩＤ「Ｈ００１」のレコードの小計に設定される。配布実績「１０００」に加算額「２．０」を乗じた小計「２００」が、設定属性「男性」および配布物ＩＤ「Ｈ００１」のレコードに設定され、ステータスが「未処理」から「処理済」に更新される。
【００９２】
広告費用総額の課金処理（Ｓ６０９）では、基本支払テーブル９１、配布実績支払テーブル９２、配布属性支払テーブル９３を参照して、広告費用総額が産出される。本実施形態では、配布物「新作パソコンのご案内」の広告費用総額として、各テーブルの配布物ＩＤ「Ｈ００１」のレコードの小計を合算した「５０５０」が算出される。よって、課金総額テーブル９４（図１４参照）において、配布物ＩＤ「Ｈ００１」のレコードに総額「５０５０」が設定され、ステータスが「未処理」から「処理済」に更新される。
【００９３】
ステップＳ６０９の実行後、配布者テーブル８１（図６）を参照して口座振り込みが行われ、広告主テーブル８２（図７）を参照して口座引き落としが行われる。本実施形態では、配布物「新作パソコンのご案内」について、配布者ＰＣ３を使用する配布者の口座に「５０５０」が振り込まれる一方、広告主ＰＣ５を使用する広告主の口座から「５０５０」が引き落としされる。その後、処理はメイン処理（図２８）に戻る。
【００９４】
なお、図１８に示す状態Ｔ１〜Ｔ１４のうち、ステップＳ３０３によって状態Ｔ４が実行される。ステップＳ３０７によって状態Ｔ７が実行される。ステップＳ３１３によって状態Ｔ９が実行される。ステップＳ４０７によって状態Ｔ１１が実行される。配布者がプリンタ４で印刷された配布物を配布することで、状態Ｔ１３が実行される。
【００９５】
さらに、登録者が携帯端末７を使用して配布物のＱＲコードを読み取ることで、状態Ｔ１４が実行される。登録者のアクセス情報はサーバ２で管理されているから（図１０参照）、登録者が過去に閲覧した配布物を特定できる。そのため、登録者は、携帯端末７で配布物の詳細情報やクーポンを得られるのみならず、携帯端末７を使用して過去に閲覧した配布物を参照できる。そのため、登録者は、例えば廃棄または紛失等した配布物を、時間や場所を選ばす閲覧できる。
【００９６】
以上説明したように、本実施形態の印刷システム１によれば、配布者ＰＣ３で入力されたコンテンツデータが、サーバ２へ送信される。広告主ＰＣ５でコンテンツデータの検索条件が入力されると、サーバ２で検索条件を満たすコンテンツデータが検索されて、その検索結果が広告主ＰＣ５で表示される。広告主ＰＣ５で検索結果からコンテンツデータが選択されると、広告主ＰＣ５で入力された広告データが、サーバ２へ送信される。サーバ２では、広告主ＰＣ５で選択されたコンテンツデータと、広告主ＰＣ５から受信した広告データとが対応付けて記憶される。サーバ２では、印刷実行指示に応じて、コンテンツデータおよび広告データを合成した配布物データが生成され、プリンタ４に送信される。プリンタ４では、サーバ２から受信した配布物データに基づいて印刷が実行される。したがって、広告主は配布物（詳細には、配布物に印刷されるコンテンツデータ）を自由に検索して、広告を掲載する配布物を決定することができる。ひいては、より高い宣伝効果を期待できる配布物に広告を掲載することができる。
【００９７】
ところで、上記実施形態において、配布者ＰＣ３が本発明の「コンテンツ登録装置」に相当し、広告主ＰＣ５が本発明の「広告登録装置」に相当し、プリンタ４が本発明の「印刷装置」に相当する。入力部３７が本発明の「コンテンツ受付手段」に相当し、ステップＳ５を実行するＣＰＵ３０が本発明の「コンテンツ送信手段」に相当する。入力部５７が本発明の「条件受付手段」および「広告受付手段」に相当し、ステップＳ５３を実行するＣＰＵ５０が本発明の「検索条件送信手段」に相当し、ディスプレイ５６が本発明の「検索結果表示手段」に相当し、ステップＳ５９を実行するＣＰＵ５０が本発明の「掲載要求送信手段」に相当する。印刷部４６が本発明の「印刷手段」に相当し、ＣＰＵ４０が本発明の「制御手段」に相当する。
【００９８】
ステップＳ３０１を実行するＣＰＵ２０が、本発明の「コンテンツ特定手段」に相当する。ステップＳ３０３を実行するＣＰＵ２０が、本発明の「検索結果送信手段」に相当する。ステップＳ３０９を実行するＣＰＵ２０が、本発明の「記憶制御手段」に相当する。ステップＳ４０３を実行するＣＰＵ２０が、本発明の「データ取得手段」および「印刷データ生成手段」に相当する。ステップＳ４０５を実行するＣＰＵ２０が、本発明の「印刷データ送信手段」に相当する。ステップＳ１１５を実行するＣＰＵ２０が、本発明の「アクセス特定手段」および「閲覧回数加算手段」に相当する。ステップＳ４０９、Ｓ１１７を実行するＣＰＵ２０が、本発明の「報酬設定手段」に相当する。
【００９９】
コンテンツデータ記憶領域２３３が、本発明の「第一記憶手段」に相当する。広告データ記憶領域２３４および配布物テーブル８４が、本発明の「第二記憶手段」に相当する。配布物データ記憶領域２３５が、本発明の「第三記憶手段」に相当する。配布物テーブル８４が、本発明の「第四記憶手段」に相当する。課金総額テーブル９４、配布物テーブル８４、コンテンツデータ記憶領域２３３が、本発明の「第五記憶手段」に相当する。コンテンツデータ記憶領域２３３が、本発明の「第六記憶手段」および「第七記憶手段」に相当する。
【０１００】
ステップＳ３０１が、本発明の「コンテンツ特定ステップ」に相当する。ステップＳ３０３が、本発明の「検索結果送信ステップ」に相当する。ステップＳ３０９が、本発明の「記憶制御ステップ」に相当する。ステップＳ４０３が、本発明の「データ取得ステップ」および「印刷データ生成ステップ」に相当する。ステップＳ４０５が、本発明の「印刷データ送信ステップ」に相当する。
【０１０１】
なお、本発明は上記実施形態に限定されるものではなく、発明の要旨を変更しない範囲での変更が可能である。例えば、上記実施形態では、単体のサーバ２でメイン処理（図２８〜図３３）が実行されているが、複数のコンピュータでメイン処理（図２８〜図３３）を分散処理してもよい。
【０１０２】
また、上記実施形態では、１のコンテンツデータと１の広告データを合成した配布物データに基づいて、プリンタ４で配布物が印刷されている。これに代えて、１のコンテンツデータと複数の広告データを合成した配布物データが生成されてもよいし、複数のコンテンツデータと１の広告データを合成した配布物データが生成されてもよいし、複数のコンテンツデータと複数の広告データを合成した配布物データが生成されてもよい。
【０１０３】
また、上記実施形態では、サーバ２で生成された配布物データが配布者ＰＣ３を介してプリンタ４に送信され、プリンタ４で生成された印刷完了通知が配布者ＰＣ３を介してサーバ２に送信されている。これに代えて、プリンタ４をインターネット６に接続することで、サーバ２からプリンタ４に配布物データが直接送信され、プリンタ４からサーバ２に印刷完了通知が直接送信されてもよい。
【０１０４】
また、配布者ＰＣ３または広告主ＰＣ５で表示される画面や、サーバ２との間で送受信される情報などは、適宜変更可能である。例えば、広告主ＰＣ５からサーバ２に送信される検索条件や、サーバ２から広告主ＰＣ５に返信される検索結果に、広告掲載スペースの大きさ、広告画像の縦横比、配布物における広告スペース数や埋まり具合などを示す情報が含まれていてもよい。また、広告主が配布物を検索するための画面（図２０〜図２３参照）において、配布物の印刷レイアウトを選択できるようにしてもよい。
【符号の説明】
【０１０５】
１    印刷システム
２    サーバ
４    プリンタ
６    インターネット
７    携帯端末
８１    配布者テーブル
８２    広告主テーブル
８３    登録者テーブル
８４    配布物テーブル
８５    履歴テーブル
９１    基本支払テーブル
９２    配布実績支払テーブル
９３    配布属性支払テーブル
９４    課金総額テーブル
１０１    配布物登録画面
１０２    配布物検索画面
１０３    検索結果画面
１０４    配布物詳細画面
１０５    広告登録画面
１０６    掲載条件確認画面
１０７    印刷実行画面
２３３    コンテンツデータ記憶領域
２３４    広告データ記憶領域
２３５    配布物データ記憶領域
【図１】
2012014381.tif 000003
【図２】
2012014381.tif 000004
【図３】
2012014381.tif 000005
【図４】
2012014381.tif 000006
【図５】
2012014381.tif 000007
【図６】
2012014381.tif 000008
【図７】
2012014381.tif 000009
【図８】
2012014381.tif 000010
【図９】
2012014381.tif 000011
【図１０】
2012014381.tif 000012
【図１１】
2012014381.tif 000013
【図１２】
2012014381.tif 000014
【図１３】
2012014381.tif 000015
【図１４】
2012014381.tif 000016
【図１５】
2012014381.tif 000017
【図１６】
2012014381.tif 000018
【図１７】
2012014381.tif 000019
【図１８】
2012014381.tif 000020
【図１９】
2012014381.tif 000021
【図２０】
2012014381.tif 000022
【図２１】
2012014381.tif 000023
【図２２】
2012014381.tif 000024
【図２３】
2012014381.tif 000025
【図２４】
2012014381.tif 000026
【図２５】
2012014381.tif 000027
【図２６】
2012014381.tif 000028
【図２７】
2012014381.tif 000029
【図２８】
2012014381.tif 000030
【図２９】
2012014381.tif 000031
【図３０】
2012014381.tif 000032
【図３１】
2012014381.tif 000033
【図３２】
2012014381.tif 000034
【図３３】
2012014381.tif 000035